(57)【要約】【目的】暗闇でも、透過型液晶表示装置の照明装置を動作させることなく、常時、透過型液晶表示装置に保持された表示内容を視認することができる携帯用電子機器の表示装置を提供すること。【構成】表示セグメントを有する透過型液晶表示装置である表示手段と、前記表示手段を裏面から照明する照明手段とを備えた表示装置において、前記表示手段と前記照明手段との間に、材料が蓄光材で形成され、且つ、光を透過するための複数の孔を設けたマスクを備える。ここで、前記マスクにあっては、前記表示手段の表示セグメントに対向する範囲と、ブランクに対向する範囲とでは、開口孔形状が異なる。【選択図】　　　図１
2004093614.tif 000002
【特許請求の範囲】
【請求項１】
表示セグメントを有する透過型液晶表示装置である表示手段と、前記表示手段を裏面から照明する照明手段とを備えた表示装置において、
前記表示手段と前記照明手段との間に、材料が蓄光材で形成され、且つ、光を透過するための複数の孔を設けたマスクを備えたことを特徴とする携帯用電子機器の表示装置。
【請求項２】
前記マスクにあっては、前記表示手段の表示セグメントに対向する範囲と、ブランクに対向する範囲とでは、開口孔形状が異なることを特徴とする請求項１記載の携帯用電子機器の表示装置。
【請求項３】
前記マスクにあっては、前記表示手段の表示セグメントに対向する範囲は開口とし、ブランクに対向する範囲は複数の開口孔を設けることを特徴とする請求項１記載の携帯用電子機器の表示装置。
【発明の詳細な説明】
【０００１】
【発明の属する技術分野】
本発明は、表示セグメントを有する透過型液晶表示装置に関し、特に裏面から照明する照明装置を備えた携帯用電子機器の表示装置に関する。
【０００２】
【従来の技術】
近年の携帯用電子機器の表示装置で、透過型液晶表示装置を備えたものにおいては、暗闇でも表示内容が視認できるように、裏面より透過型液晶表示装置を照明する照明装置を備えた携帯電話やデジタルカメラ等が数多く市場に出回るようになってきた。これは、ＥＬ（エレクトロ・ルミネッセンス）照明装置等を透過型液晶表示装置の裏面に配置し、携帯用電子機器が何れかの操作を受け付けるか、又は照明装置のスイッチが操作されたときにＥＬ照明装置の動作回路を動作させて、裏面より透過型液晶表示装置を照明するものである。
【０００３】
又、或る一定時間、何れの操作も受け付けないと、所謂放置されている状態では、通常、スリープタイマー機構が働き、ＥＬ照明装置の動作回路の動作を停止し、電池の不要な消耗を防止している。これらの照明装置を備えた携帯用電子機器は、暗闇であっても透過型液晶表示装置の表示内容が視認でき、又、電池の不要な消耗を防げるので、大変便利である。
【０００４】
【発明が解決しようとする課題】
しかし、上述した従来例では、以下のような欠点があった。
【０００５】
極一般的な携帯用電子機器では、或る一定時間、何れの操作も受け付けないと、所謂放置されている状態では、通常、スリープタイマー機構が働き、照明装置の電源を遮断し、電池の不要な消耗を防止している。そのため、携帯用電子機器が何れの操作も受け付けないで、或る一定時間放置されている状態では、暗闇では透過型液晶表示装置の表示内容を視認することができない。
【０００６】
一般的に、透過型液晶表示装置は、機器の電源が遮断されていても、表示内容を保持することが可能であり、そのための電力は不要である。従って、透過型液晶表示装置の裏面から照明さえすれば、暗闇でも透過型液晶表示装置が保持している表示内容を視認することができる。デジタルカメラ等の携帯用電子機器では、放置後に、速やかに撮影準備をする必要に迫られる場合もあり、その際、何れかの操作ボタンを操作させて、透過型液晶表示装置の表示内容を確認しなければならない。つまり、撮影可能枚数や、撮影モード等を確認する必要がある場合は、その都度何れかの操作ボタンを操作させて、スリープタイマーを終了させ、透過型液晶表示装置の照明装置を動作させて、表示内容を確認しなければならない。
【０００７】
本発明は上記事情に鑑みてなされたもので、その目的とする処は、暗闇でも、透過型液晶表示装置の照明装置を動作させることなく、常時、透過型液晶表示装置に保持された表示内容を視認することができる携帯用電子機器の表示装置を提供することにある。
【０００８】
【課題を解決するための手段】
上記目的を達成するため、本発明は、表示セグメントを有する透過型液晶表示装置である表示手段と、前記表示手段を裏面から照明する照明手段とを備えた表示装置において、前記表示手段と前記照明手段との間に、材料が蓄光材で形成され、且つ、光を透過するための複数の孔を設けたマスクを備えたことを特徴とする。
【０００９】
【発明の実施の形態】
以下に本発明の実施の形態を添付図面に基づいて説明する。
【００１０】
＜実施形態１＞
図１は本発明の第１の実施形態に係る一眼レフタイプのデジタルカメラの構成を示す背面図である。
【００１１】
図１において、１はカメラボデイ、２はファインダー観察用の接眼窓である。３はＡＥ（　自動露出）　ロックボタン、４はＡＦ（オートフォーカス）の測距点選択ボタンである。５は撮影操作をするためのレリーズボタンであり、６が他の操作釦と併用して、カメラに数値を入力したり、撮影モードを切り換えたりするための多機能信号入力用の電子ダイヤルである。
【００１２】
７は撮影モード選択ボタン、８はＡＦモード選択ボタン、９は測光モード選択ボタンで、調光補正ボタンも兼ねている。１０は撮影された画像を表示するＴＦＴ（液晶表示装置）モニター装置である。１１は入力用電子ダイヤル６と同様の機能を備えた、本デジタルカメラの撮影条件等を選択するためのサブ電子ダイヤルである。１２はこのサブ電子ダイヤル１１による入力機能をロックするダイヤルロックスイッチ、１３は本デジタルカメラの全ての動作を禁止するメインスイッチである。１４はＴＦＴモニター装置１０に画像を表示する際や、カメラの初期設定の際にモードを選択するための操作釦群である。
【００１３】
図１において、１５は本発明に係る表示手段、照明手段を備えた表示装置で、撮影条件等を表示することができる。この表示装置１５の詳細を図２に基づいて説明する。
【００１４】
図２は表示装置１５の構成を示した図である。
【００１５】
図２において、２０１は表示手段である透過型液晶表示装置で、表示セグメントを備え、外部より駆動電圧を印加することにより、所望の表示セグメントが黒く反転して情報を表示するものである。２０２は後述する回路基板と透過型液晶表示装置２０１とを電気的に接続する導電ゴムである。２０３は本発明であるところのマスクであり、このマスク２０３には、光を透過するための複数の孔が設けてあり、又、材料は蓄光材で形成されている。尚、マスク２０３の詳細形状については後述する。
【００１６】
２０４は表示手段を裏面から照明する照明手段であるところのＥＬ照明装置である。ＥＬ照明装置２０４は、電極が備えられており、駆動回路（不図示）に接続される。２０５は透過型液晶表示装置２０１を駆動するための回路基板であり、導電ゴムを介して透過型液晶表示装置２０１に電気的に接続される。図２に示すように、マスク２０３は、表示手段である透過型液晶表示装置２０１と照明手段であるＥＬ照明装置２０４との間に配置されている。
【００１７】
図３は本発明のマスク２０３の実施の形態である第１のマスク形状を示す図である。
【００１８】
図３に示すように、マスクには光を透過するための複数の孔が設けてあり、ＥＬ照明装置２０４が駆動されると、発光された光は、この複数の孔を通過して透過型液晶表示装置２０１に到達し、透過型液晶表示装置２０１に表示された表示内容が暗闇でも視認可能にする。又、マスク２０３は材料が蓄光材で形成されているため、日中の明るい環境に晒されている時は、マスク２０３に光エネルギーが蓄積される。又、ＥＬ照明装置２０４が駆動されて発光している間にも、その光によって、このマスク２０３に光エネルギーが蓄積される。
【００１９】
一方、暗闇の環境下においては、ＥＬ照明装置２０４の駆動が停止されていても、マスク２０３に蓄えられた光エネルギーが放出され、カメラの操作如何に拘らずマスク２０３自体が発光する。このため、本実施の形態に係る表示装置１５では、暗闇でも、マスク２０３の放つ光によって透過型液晶表示装置２０１に表示された表示内容が視認可能になる。
【００２０】
上述したように、本実施の形態では、デジタルカメラを放置している時（スリープタイマー中）に、何れかの操作ボタンを操作させたりしてＥＬ照明装置２０４を駆動させることなく、透過型液晶表示装置２０１の表示内容を確認することができる。つまり、撮影可能枚数や、撮影モード等を確認する必要がある場合は、何れかの操作部材も操作させることなく、表示内容を確認することができる。又、その都度ＥＬ照明装置２０４を駆動させることがないため、電池のエネルギーを無駄に消費する必要もなくなり、大変便利である、
＜実施の形態２＞
次に、本発明の実施の形態２について説明するが、実施の形態１と重複する部分については説明を割愛し、相違点のみについて述べることにする。
【００２１】
本実施の形態については図４を用いて説明する。
【００２２】
本実施の形態は、構成については実施の形態１と同じであるが、マスク２０３の形状についてのみ異なる。図４は本実施形態マスク２０３を示す図である。
【００２３】
図４において、透過型液晶表示装置２０１の表示セグメントに対応する範囲を４０２で示している。又、ブランクに対応する範囲を４０１で示している。図４に示すように、マスク２０３には光を透過するための複数の孔が設けてあるが、本実施の形態のマスク２０３では、透過型液晶表示装置２０１の表示セグメントに対応する範囲４０２は、透過型液晶表示装置２０１のブランクに対応する範囲４０１に比べて孔の大きさを大きくし、光を透過する面積を大きくしている。このため、透過型液晶表示装置２０１の表示セグメントに対応する範囲４０２では、ＥＬ照明装置２０４の光がより多く透過するようになっている。
【００２４】
よって、ＥＬ照明装置２０４が駆動された時、マスク２０３を入れたことによるＥＬ照明光の減衰が少なくなり、透過型液晶表示装置２０１の視認性の悪化を防いでいる。又、マスク２０３は、実施の形態１と同じように、材料が蓄光材で形成されているため、日中の明るい環境に晒されている時は、マスク２０３に光エネルギーが蓄積される。又、ＥＬ照明装置２０４が駆動されて発光している間にも、その光によって、このマスク２０３に光エネルギーが蓄積される。
【００２５】
一方、暗闇の環境下においては、ＥＬ照明装置２０４の駆動が停止されていても、マスク２０３に蓄えられた光エネルギーが放出され、カメラの操作如何に拘らずマスク２０３自体が発光する。このため、本実施の形態の表示装置１５では、暗闇でも、マスク２０３の放つ光によって透過型液晶表示装置２０１に表示された表示内容が視認可能になる。
【００２６】
＜実施の形態３＞
次に、本発明の実施の形態３について説明するが、実施の形態１，２と重複する部分については説明を割愛し、相違点のみについて述べることにする。
【００２７】
本実施形態については図５を用いて説明する。本実施形態は、構成については実施の形態１，２と同じであるが、マスク２０３の形状についてのみ異なる。
【００２８】
図５は本実施の形態に係るマスク２０３を示す図である。
【００２９】
図５において、透過型液晶表示装置２０１の表示セグメントに対応する範囲を５０２で示している。又、ブランクに対応する範囲を５０１で示している。図５に示すように、マスク２０３には光を透過するための複数の孔が設けてあるが、本実施の形態のマスク２０３では、透過型液晶表示装置２０１の表示セグメントに対応する範囲５０２は、開口形状にして光を完全に透過するようにしている。このため、透過型液晶表示装置２０１の表示セグメントに対応する範囲５０２では、ＥＬ照明装置２０４の光が全て透過型液晶表示装置２０１に到達し、マスク２０３を入れたことによるＥＬ照明光の減衰がなく、透過型液晶表示装置２０１の視認性の悪化を防いでいる。
【００３０】
又、マスク２０３は、実施の形態１，２と同じように、材料が蓄光材で形成されているため、日中の明るい環境に晒されている時は、マスク２０３に光エネルギーが蓄積される。又、ＥＬ照明装置２０４が駆動されて発光している間にも、その光によって、このマスク２０３に光エネルギーが蓄積される。
【００３１】
一方、暗闇の環境下においては、ＥＬ照明装置２０４の駆動が停止されていても、マスク２０３に蓄えられた光エネルギーが放出され、カメラの操作如何に拘らずマスク２０３自体が発光する。このため、本実施の形態の表示装置１５では、暗闇でも、マスク２０３の放つ光によって透過型液晶表示装置２０１に表示された表示内容が視認可能になる。
【００３２】
【発明の効果】
以上の説明で明らかなように、本発明によれば、表示手段と前記照明手段とから挟持される位置に、材料が蓄光材で形成され、且つ、光を透過するための複数の孔を設けたマスクを備えているので、デジタルカメラを放置している時（スリープタイマー中）に、何れかの操作ボタンを操作させたりしてＥＬ照明装置を駆動させることなく、透過型液晶表示装置の表示内容を確認することができる。つまり、撮影可能枚数や撮影モード等を確認する必要がある場合は、何れかの操作部材も操作させることなく、表示内容を確認することができる。又、その都度ＥＬ照明装置を駆動させることがないため、電池のエネルギーを無駄に消費する必要もなくなり、大変便利である、
【図面の簡単な説明】
【図１】本発明の実施の形態に係るデジタルカメラの構成を示す背面図である。
【図２】本発明の実施の形態に係るデジタルカメラの表示装置の構成を示す図である。
【図３】本発明の実施の形態１に係るマスク形状を示す図である。
【図４】本発明の実施の形態２に係るマスク形状を示す図である。
【図５】本発明の実施の形態３に係るマスク形状を示す図である。
【符号の説明】
１　　　　　　カメラ本体
１５　　　　　固定部材
２０１　　　透過型液晶表示装置
２０３　　　マスク
２０４　　　ＥＬ照明装置
【図１】
2004093614.tif 000003
【図２】
2004093614.tif 000004
【図３】
2004093614.tif 000005
【図４】
2004093614.tif 000006
【図５】
2004093614.tif 000007